(57)【特許請求の範囲】
【請求項１】
９０度回転可能な円筒型のカメラユニットを持ち、ウェブカメラを使用しないときにはカメラ、マイクともに露出させず、光学的、音響的、電子的に使用不可能にする機構と、使用者が触れることで画面ロックのショートカットキーに相当する信号を発生させ、ワンタッチでパソコンを画面ロック状態にするタッチセンサーを有する、パソコン用盗撮盗聴防止ウェブカメラ。
【発明の詳細な説明】
【技術分野】
【０００１】
本発明は、パソコン、携帯端末、情報通信端末に搭載、または外付けされるウェブカメラである。盗撮盗聴からのプライバシー保護のため、カメラユニットを回転させることで、レンズを光学的に塞ぎ、マイクを音響的に塞ぎ、同時に電子的にも断絶させ、パソコンを画面ロックする機能によりセキュリティを高め省電力も促すものである。
【背景技術】
【０００２】
この種のプライバシー保護の目的として、ウェブカメラ用盗撮防止カバーや回転格納式ウェブカメラが公知である（特許文献１，特許文献２）。
【０００３】
パソコンの画面ロック機能はオペレーションシステムに組み込まれた機能であり、パソコンの画面を休止状態にし待機中の省電力に優れており、シャットダウンとは異なり休止状態からの復帰は速い。さらに、同じくオペレーションシステムに組み込まれたパスワードロックの設定を行うことで、休止状態からの復帰時にパスワードを要求することにより、他者による休止中の操作を禁止することが可能で、高いセキュリティが得られる。
【０００４】
パソコンを画面ロック状態にするにはいくつかの方法がある。マイクロソフト社のWindowsを例にとると、まずスタートアイコン→ユーザアイコン→ロックが一例。キーボードから、Windowsキー＋Ｌを入力するのが一例。設定パネル内で、あらかじめ一定時間で画面をロックするように設定する、などである。
【先行技術文献】
【特許文献】
【０００５】
【特許文献１】特開２０１４−１６７５５９号
【特許文献２】米国特許出願公開第２０１８／０２９２８６６号明細書
【発明の概要】
【発明が解決しようとする課題】
【０００６】
上記背景技術にあげた公知のウェブカメラ用盗撮防止カバーは、レンズを光学的に塞ぎ、ウェブカメラの乗っ取り等のソフトウェア的リスクに対して極めて有効であり、導入も容易なことからも人気を博しているが、覗き見盗撮防止の単機能にすぎず、音声の盗聴については効果がなく、カメラもマイクも電子的に機能している以上、オペレーションシステムの制御下で動作しているため、電子計算機不正指令等に関して十分な対策とはなっていない。
【０００７】
パソコンの画面ロック機能は、省電力に優れ、パスワード設定と組み合わせる事による高いセキュリティから多くの場所で使用され、パソコンの使用環境によっては厳しくルール化されていることも少なくない。しかし、問題がないわけではない。
【０００８】
上記背景技術で例示したマイクロソフト社のWindowsの場合の画面ロックの方法において、前者二例に関しては、マウスもしくはキーボードによる複数回の手順が必要であり、使用者が立ち上がった状態では腰をかがめてマウスもしくはキーボードを操作しなければならない。一定時間で自動的に画面をロックするに至っては、設定時間によっては節電効果が認められるが、パソコンの前を離席するときのセキュリティには問題がある。
【課題を解決するための手段】
【０００９】
本発明は、９０度回転可能な円筒型のウェブカメラユニット５と、カメラ７、マイク８、タッチセンサー９の３組の接続端子（２・１０，３・１１，４・１２）を持つ本体により構成される。
【００１０】
ウェブカメラを使用するときには、ウェブカメラユニット５をレンズ７、マイク８が前面を向くように回転させることで、カメラ、マイクの接点（２・１０，３・１１）が通電することでウェブカメラを使用可能にする。
【００１１】
ウェブカメラを使用しないときには、ウェブカメラユニットをレンズ７、マイク８が底面を向くように回転させることで光学的、音響的にふさがれ、同時にカメラ、マイクの接点（２・１０，３・１１）が非接触となり、カメラ７、マイク８を電子的に隔離する。
【００１２】
さらに、ウェブカメラを使用しないときには、タッチセンサー９が前面に露出し、使用者がタッチセンサー９に触れることで、画面ロックのショートカットキーに相当する信号を発生させ、ワンタッチでパソコンを画面ロック状態にすることを可能にする。
【００１３】
ウェブカメラユニット５の回転は、手動等、パソコンのオペレーションシステムの管理下にない方法で行う。
【発明の効果】
【００１４】
本発明は、本体がウェブカメラ用盗撮盗聴防止カバーとして機能するため、レンズ７を光学的に、マイク８を音響的に塞ぎ、ウェブカメラの乗っ取り等プライバシーリスクの回避に有効である。
【００１５】
ウェブカメラを使用しないときには、レンズ７、マイク８が内部で電子的に隔離されるだけではなく、底面を向き前面に露出しないため、使用者に対してウェブカメラが機能していないことが明示され、心理的安心感を与える。
【００１６】
ウェブカメラを使用しないときには、タッチセンサー９がパソコンの前面にあることから、使用者が立った状態でも座った状態でも手の届く範囲に位置することで容易に画面ロック機能を利用でき、使用者にこまめな画面ロックを習慣づけるインセンティブとなり、節電効果と高いセキュリティを享受することができる。
【００１７】
ウェブカメラの使用可否を切り替える、ウェブカメラユニット５の回転は、手動等、パソコンのオペレーションシステムおよびアプリケーションソフトウェアの管理下にない方法で行うため、電子計算機不正指令等に対して有効である。
【００１８】
本発明に係る「パソコン」にはディスプレイとウェブカメラを搭載、または外付けされたコンピュータ、携帯端末、情報通信端末等が該当する。
【００１９】
本発明に係る「画面ロック機能」には、オペレーションシステムに組み込まれたパスワード等認証設定を伴ってパソコンの操作を制限する、画面ロック機能、スクリーンセーバー機能、スリープ機能等が該当する。
【００２０】
本発明によるパソコンの画面ロックの容易さは、節電効果と高いセキュリティを生む。ウェブカメラを使用しないときにレンズおよびマイクを隠す習慣は、ウェブカメラを悪用した盗撮や盗聴、さらに盗撮を装った詐欺といったウェブカメラに潜在するリスクを軽減する。産業上の利用可能性は高いものである。
【図面の簡単な説明】
【００２１】
【図１】ウェブカメラを使用するときの、本発明の円筒型ウェブカメラユニットの斜視図である。
【図２】ウェブカメラを使用するときの、本発明の正面図である。
【図３】ウェブカメラを使用するときの、本発明の右側面図である。
【図４】ウェブカメラを使用するときの、本発明の左側面図である。
【図５】ウェブカメラを使用するときの、本発明の背面図である。
【図６】ウェブカメラを使用するときの、本発明の平面図である。
【図７】ウェブカメラを使用するときの、本発明の底面図である。
【図８】ウェブカメラを使用しないときの、本発明の円筒型ウェブカメラユニットの斜視図である。
【図９】ウェブカメラを使用しないときの、本発明の正面図である。
【図１０】ウェブカメラを使用しないときの、本発明の右側面図である。
【図１１】ウェブカメラを使用しないときの、本発明の左側面図である。
【図１２】ウェブカメラを使用しないときの、本発明の背面図である。
【図１３】ウェブカメラを使用しないときの、本発明の平面図である。
【図１４】ウェブカメラを使用しないときの、本発明の底面図である。
【発明を実施するための形態】
【００２２】
以下、本発明の実施例に基づいて説明する。
【００２３】
図１〜７は、ウェブカメラを使用するときの、本発明の斜視図および六面図である。
【００２４】
図８〜１４は、ウェブカメラを使用しないときの、本発明の斜視図および六面図である。
【００２５】
ウェブカメラユニット５を、ウェブカメラユニットの回転軸１３を軸に９０度回転させて、ウェブカメラの使用可／不可を切り替える。
【００２６】
ウェブカメラを使用するときの平面図６において、カメラのレンズ７は前面に露出し、本体側カメラ用端子２とウェブカメラユニット側カメラ用端子１０が接続しており、カメラのレンズ７が使用可能であることを示している。
【００２７】
ウェブカメラを使用するときの平面図６において、マイク８は前面に露出し、本体側マイク用端子３とウェブカメラユニット側マイク用端子１１が接続しており、マイク８が使用可能であることを示している。
【００２８】
ウェブカメラを使用するときの斜視図１において、タッチセンサー９は上を向いて本体に隠れており、タッチセンサー９は使用不可能であることを示している。
【００２９】
ウェブカメラを使用しないときの正面図９において、カメラのレンズ７は底面を向き、ウェブカメラを使用しないときの平面図１３において、本体側カメラ用端子２とウェブカメラユニット側カメラ用端子１０が接続しておらず、カメラのレンズ７が使用不可能であることを示している。
【００３０】
ウェブカメラを使用しないときの正面図９において、マイク８は底面を向き、ウェブカメラを使用しないときの平面図１３において、本体側マイク用端子３とウェブカメラユニット側マイク用端子１１が接続しておらず、マイク８が使用不可能であることを示している。
【００３１】
ウェブカメラを使用しないときの正面図９において、タッチセンサー９は前面に露出し、本体側タッチセンサー用端子４とウェブカメラユニット側タッチセンサー用端子１２が接続しており、タッチセンサー９が使用可能であることを示している。
【符号の説明】
【００３２】
１  本体
２  本体側カメラ用端子
３  本体側マイク用端子
４  本体側タッチセンサー用端子
５  ウェブカメラユニット
６  ウェブカメラユニットを回転させるレバー
７  カメラのレンズ
８  マイク
９  タッチセンサー
１０  ウェブカメラユニット側カメラ用端子
１１  ウェブカメラユニット側マイク用端子
１２  ウェブカメラユニット側タッチセンサー用端子
１３  ウェブカメラユニットの回転軸
【要約】      （修正有）【課題】パソコンをワンタッチで画面ロック状態にすることで節電効果とパソコンの前を離席するときのセキュリティを高め、同時にウェブカメラの乗っ取り等のソフトウェア的リスクの低減を兼ね備えた、パソコン用盗撮盗聴防止ウェブカメラを提供する。【解決手段】本体１において、９０度回転可能な円筒型のウェブカメラユニット５を有する。ウェブカメラを使用しないときは、カメラのレンズ７、マイク８を露出させないと同時に電子的に切断し、代わりにパソコンを画面ロック状態にするショートカットキー機能を持ったタッチセンサー９を露出させる形状を持ち、ワンタッチでパソコンの画面ロックを行う。【選択図】図１【図１】
0006797362.tif 000002
【図２】
0006797362.tif 000003
【図３】
0006797362.tif 000004
【図４】
0006797362.tif 000005
【図５】
0006797362.tif 000006
【図６】
0006797362.tif 000007
【図７】
0006797362.tif 000008
【図８】
0006797362.tif 000009
【図９】
0006797362.tif 000010
【図１０】
0006797362.tif 000011
【図１１】
0006797362.tif 000012
【図１２】
0006797362.tif 000013
【図１３】
0006797362.tif 000014
【図１４】
0006797362.tif 000015